(57)【要約】ラジエータ用電動送風器による今後の消費電力の増減を推定する。エンジンと、エンジンによって駆動される発電機によって充電可能なバッテリと、ラジエータと、バッテリに蓄電された電力を消費してラジエータに送風する送風器と、を有する車両において、送風器の消費電力を推定する方法。本方法は、（ａ）エンジンの発熱状態を推定する工程と、（ｂ）推定された発熱状態を用いて、送風器において今後消費される将来消費電力の増減を推定する工程とを備える。
2013105126.tif 000002
【特許請求の範囲】
【請求項１】
エンジンと、前記エンジンによって駆動される発電機によって充電可能なバッテリと、ラジエータと、前記バッテリに蓄電された電力を消費して前記ラジエータに送風する送風器と、を有する車両において、前記送風器の消費電力を推定する方法であって、
（ａ）前記エンジンの発熱状態を推定する工程と、
（ｂ）推定された前記発熱状態を用いて、前記送風器において今後消費される将来消費電力の増減を推定する工程と、
を備える方法。
【請求項２】
請求項１記載の前記送風器の消費電力を推定する方法であって、さらに、
（ｃ）前記車両の移動速度を推定する工程を備え、
前記工程（ｂ）は、推定された前記発熱状態と、推定された前記移動速度と、を用いて、前記送風器において今後消費される将来消費電力の増減を推定する、方法。
【請求項３】
請求項１または２記載の方法を利用した車両制御方法であって、
（ｄ）前記車両の停止時における前記エンジンの運転を抑制するアイドリングストップ制御を行う工程と、
（ｅ）前記エンジンの運転時における前記発電機による発電を、前記車両の減速時に限って実施する充電制御を行う工程と、
（ｆ）前記バッテリの蓄電状態（ＳＯＣ）を検出する工程と、
（ｇ）前記工程（ｂ）により推定された前記送風器の前記将来消費電力の増減に応じて、前記バッテリの使用可能な範囲を、前記アイドリングストップ制御が実行可能なアイドリングストップ用範囲と、前記充電制御が実行可能な充電制御用範囲と、に分ける工程と、
（ｈ）前記車両の走行中に、前記工程（ｆ）によって検出された蓄電状態に基づく前記バッテリの残存容量が、前記アイドリングストップ用範囲内となる状態が継続することを回避するように、前記発電機の発電量を制御する工程と、
を備える、車両制御方法。
【請求項４】
請求項１または２記載の前記送風器の消費電力を推定する方法であって、
前記工程（ａ）において、前記エンジンのスロットル開度と、前記エンジンの回転数と、の少なくともいずれかに基づいて、もしくはこれらの組合せを用いて、前記エンジンの発熱状態を推定する、方法。
【請求項５】
請求項２または４記載の前記送風器の消費電力を推定する方法であって、
前記工程（ｂ）において、
前記工程（ａ）により推定された前記エンジンの発熱状態が所定値よりも高く、かつ、前記工程（ｃ）により推定された前記車両の移動速度が所定値よりも大きい場合は、前記送風器の前記将来消費電力は現状維持傾向であると推定し、
前記工程（ａ）により推定された前記エンジンの発熱状態が所定値よりも高く、かつ、前記工程（ｃ）により推定された前記車両の移動速度が所定値よりも小さい場合は、前記送風器の前記将来消費電力は増大傾向であると推定する、方法。
【請求項６】
請求項５記載の方法を利用した請求項３記載の車両制御方法であって、
前記工程（ｇ）は、
前記工程（ｂ）により推定された前記送風器の前記将来消費電力の増減が現状維持傾向である場合には、
（ｇ−１）前記車両が停車する原因となる前記車両の走行環境を推定する工程と、
（ｇ−２）前記車両に搭載された補機であって、前記バッテリに蓄電された電力を消費して動作する補機の消費電力量を推定する工程と、
（ｇ−３）前記車両の前記走行環境と、前記補機の前記消費電力量とに応じて、前記バッテリの使用可能な範囲を、前記アイドリングストップ用範囲と、前記充電制御用範囲とに分ける工程と、
を工程を含み、
前記工程（ｂ）により推定された前記送風器の前記将来消費電力の増減が増大傾向である場合には、
前記工程（ｇ−１）と、前記工程（ｇ−２）と、
（ｇ−４）前記補機の前記消費電力量を前記送風器の前記将来消費電力の増減に応じて補正する工程と、
（ｇ−５）前記車両の前記走行環境と、補正後の前記補機の前記消費電力量とに応じて、前記バッテリの使用可能な範囲を、前記アイドリングストップ用範囲と、前記充電制御用範囲とに分ける工程と、
を工程を含む、車両制御方法。
【請求項７】
エンジンと、前記エンジンによって駆動される発電機によって充電可能なバッテリと、ラジエータと、前記バッテリに蓄電された電力を消費して前記ラジエータに送風する送風器と、を有する車両に搭載される車両制御装置であって、
前記エンジンの発熱状態を推定し、推定された前記発熱状態を用いて、前記送風器において今後消費される将来消費電力の増減を推定する自車両状態補正部を備える、車両制御装置。
【請求項８】
請求項７記載の車両制御装置であって、
前記自車両状態補正部は、さらに、前記車両の移動速度を推定し、推定された前記発熱状態と、推定された前記移動速度と、を用いて、前記送風器において今後消費される将来消費電力の増減を推定する、車両制御装置。
【請求項９】
請求項７または８記載の車両制御装置であって、さらに、
前記車両の停止時における前記エンジンの運転を抑制するアイドリングストップ制御を行うアイドリングストップ制御部と、
前記バッテリの蓄電状態（ＳＯＣ）を検出するバッテリＳＯＣ算出部と、
前記自車両状態補正部により推定された前記送風器の前記将来消費電力の増減に応じて、前記バッテリの使用可能な範囲を、前記アイドリングストップ制御が実行可能なアイドリングストップ用範囲と、前記エンジンの運転時における前記発電機による発電を前記車両の減速時に限って実施する充電制御が実行可能な充電制御用範囲と、に分ける目標ＳＯＣ推定部と、
前記車両の走行中に、前記バッテリＳＯＣ算出部によって検出された蓄電状態に基づく前記バッテリの残存容量が、前記アイドリングストップ用範囲内となる状態が継続することを回避するように、前記発電機の発電量を制御する指示値算出部と、
を備える、車両制御装置。
【発明の詳細な説明】
【技術分野】
【０００１】
本発明は、ラジエータ用電動ファンの消費電力を推定する方法に関する。
【背景技術】
【０００２】
自動車等の車両において、燃料消費量を低減する技術として、通常走行中はバッテリへの充電を行わないことで燃料消費量を低減し、減速時に回生発電によりバッテリへの充電を行なう制御（以降、「充電制御」とも呼ぶ。）が知られている。また、燃料消費量を低減する別の技術として、車両の停止時にはエンジンを停止させるアイドリングストップ（「アイドル・リダクション」とも呼ぶ。）制御が知られている。【０００３】
車両が充電制御中またはアイドリングストップ制御中である場合、エンジンを動力とする発電、および、バッテリへの充電は行われないため、バッテリの残量は、車両が備える補機による消費電力量に応じて低下していく。バッテリは、その残量が所定の使用可能な範囲を下回ると劣化を生じる性質があるため、バッテリ寿命確保のためには、バッテリの残量が所定の使用可能な範囲を下回らないように、充電制御とアイドリングストップとを制御することが好ましい。【０００４】
このように充電制御とアイドリングストップ制御とを制御する際に、補機による消費電力量の推定値は重要な情報となる。例えば、引用文献１には、冷却ファンと電動ウォータポンプとで消費される合計の消費電力を極力抑制するために、ラジエータで放熱させようとする目標放熱量から、冷却ファンと電動ウォータポンプとで消費される合計の消費電力を予測する技術が開示されている。しかし、引用文献１の技術では、冷却ファンにおいて今後消費される消費電力の増減を推定することはできず、改善の余地があった。
【先行技術文献】
【特許文献】
【０００５】
【特許文献１】特開２０１０−０９６０４２号公報
【特許文献２】特開２０１１−１２６５３５号公報
【発明の概要】
【発明が解決しようとする課題】
【０００６】
本発明は、エンジンとバッテリとラジエータとラジエータ用の送風器とが搭載された車両において、送風器による今後の消費電力の増減を推定することを目的とする。
【課題を解決するための手段】
【０００７】
本発明は、上述の課題の少なくとも一部を解決するために、以下の形態または適用例を取ることが可能である。【０００８】
［適用例１］
エンジンと、前記エンジンによって駆動される発電機によって充電可能なバッテリと、ラジエータと、前記バッテリに蓄電された電力を消費して前記ラジエータに送風する送風器と、を有する車両において、前記送風器の消費電力を推定する方法であって、
（ａ）前記エンジンの発熱状態を推定する工程と、
（ｂ）推定された前記発熱状態を用いて、前記送風器において今後消費される将来消費電力の増減を推定する工程と、
を備える方法。
このような構成とすれば、本方法では、エンジンの発熱状態を推定し、推定された発熱状態を用いて、送風器において今後消費される将来消費電力の増減を推定する。ラジエータに送風する送風器において、エンジンの発熱状態は、送風器によってこれから消費される将来消費電力に関連する重要な要因であるため、このようにすれば、送風器の将来消費電力の増減を精度よく推定することができる。【０００９】
［適用例２］
適用例１記載の前記送風器の消費電力を推定する方法であって、さらに、
（ｃ）前記車両の移動速度を推定する工程を備え、
前記工程（ｂ）は、推定された前記発熱状態と、推定された前記移動速度と、を用いて、前記送風器において今後消費される将来消費電力の増減を推定する、方法。【００１０】
このような構成とすれば、本方法では、エンジンの発熱状態に加えて、さらに車両の移動速度を推定し、推定されたエンジンの発熱状態と、推定された移動速度とを用いて、送風器において今後消費される将来消費電力の増減を推定する。ラジエータに送風する送風器において、走行風の強弱に密接に関連する車両の移動速度は、送風器によってこれから消費される将来消費電力に関連する重要な要因であるため、このようにすれば、送風器の将来消費電力の増減を、より精度よく推定することができる。【００１１】
［適用例３］
適用例１または２記載の方法を利用した車両制御方法であって、
（ｄ）前記車両の停止時における前記エンジンの運転を抑制するアイドリングストップ制御を行う工程と、
（ｅ）前記エンジンの運転時における前記発電機による発電を、前記車両の減速時に限って実施する充電制御を行う工程と、
（ｆ）前記バッテリの蓄電状態（ＳＯＣ）を検出する工程と、
（ｇ）前記工程（ｂ）により推定された前記送風器の前記将来消費電力の増減に応じて、前記バッテリの使用可能な範囲を、前記アイドリングストップ制御が実行可能なアイドリングストップ用範囲と、前記充電制御が実行可能な充電制御用範囲と、に分ける工程と、
（ｈ）前記車両の走行中に、前記工程（ｆ）によって検出された蓄電状態に基づく前記バッテリの残存容量が、前記アイドリングストップ用範囲内となる状態が継続することを回避するように、前記発電機の発電量を制御する工程と、
を備える、車両制御方法。
このような構成とすれば、車両制御方法では、推定された送風器の将来消費電力の増減に応じて、バッテリの使用可能な範囲を、アイドリングストップ制御が実行可能なアイドリングストップ用範囲と、充電制御が実行可能な充電制御用範囲とに分け、さらに、車両の走行中において、バッテリの残存容量がアイドリングストップ用範囲内となる状態が継続することを回避するように、発電機の発電量を制御する。このため、アイドリングストップ制御によるエンジン停止から再始動までの間にバッテリの残存容量不足の状態からエンジンが再始動されることを抑制するための発電量の制御において、送風器の将来消費電力の増減を考慮することができる。この結果、発電量の制御を最適化することができる。【００１２】
［適用例４］
適用例１または２記載の前記送風器の消費電力を推定する方法であって、
前記工程（ａ）において、前記エンジンのスロットル開度と、前記エンジンの回転数と、の少なくともいずれかに基づいて、もしくはこれらの組合せを用いて、前記エンジンの発熱状態を推定する、方法。
このような構成とすれば、エンジンのスロットル開度と、エンジンの回転数と、の少なくともいずれかを用いたエンジン発熱状態の推定と、これらの組合せを用いたエンジン発熱状態の推定とを任意に選択することができる。【００１３】
［適用例５］
適用例２または４記載の前記送風器の消費電力を推定する方法であって、
前記工程（ｂ）において、
前記工程（ａ）により推定された前記エンジンの発熱状態が所定値よりも高く、かつ、前記工程（ｃ）により推定された前記車両の移動速度が所定値よりも大きい場合は、前記送風器の前記将来消費電力は現状維持傾向であると推定し、
前記工程（ａ）により推定された前記エンジンの発熱状態が所定値よりも高く、かつ、前記工程（ｃ）により推定された前記車両の移動速度が所定値よりも小さい場合は、前記送風器の前記将来消費電力は増大傾向であると推定する、方法。
このような構成とすれば、エンジンの発熱状態が所定値よりも高い場合であっても、車両の移動速度が所定値よりも大きい場合は、送風器の将来消費電力は現状維持傾向であると推定する。また、エンジンの発熱状態が所定値よりも高く、かつ、車両の移動速度が所定値よりも小さい場合は、送風器の将来消費電力は増大傾向であると推定する。このため、実際の車両の移動速度と、移動速度に伴う走行風の強弱を考慮した、実態に即した推定を行うことが可能となる。【００１４】
［適用例６］
適用例５記載の方法を利用した適用例３記載の車両制御方法であって、
前記工程（ｇ）は、
前記工程（ｂ）により推定された前記送風器の前記将来消費電力の増減が現状維持傾向である場合には、
（ｇ−１）前記車両が停車する原因となる前記車両の走行環境を推定する工程と、
（ｇ−２）前記車両に搭載された補機であって、前記バッテリに蓄電された電力を消費して動作する補機の消費電力量を推定する工程と、
（ｇ−３）前記車両の前記走行環境と、前記補機の前記消費電力量とに応じて、前記バッテリの使用可能な範囲を、前記アイドリングストップ用範囲と、前記充電制御用範囲とに分ける工程と、
を工程を含み、
前記工程（ｂ）により推定された前記送風器の前記将来消費電力の増減が増大傾向である場合には、
前記工程（ｇ−１）と、前記工程（ｇ−２）と、
（ｇ−４）前記補機の前記消費電力量を前記送風器の前記将来消費電力の増減に応じて補正する工程と、
（ｇ−５）前記車両の前記走行環境と、補正後の前記補機の前記消費電力量とに応じて、前記バッテリの使用可能な範囲を、前記アイドリングストップ用範囲と、前記充電制御用範囲とに分ける工程と、
を工程を含む、車両制御方法。
このような構成とすれば、車両制御方法では、送風器の将来消費電力の増減が現状維持傾向である場合には、車両の走行環境と補機の消費電力量とに応じて、バッテリの使用可能な範囲をアイドリングストップ用範囲と充電制御用範囲とに分け、送風器の将来消費電力の増減が増大傾向である場合には、車両の走行環境と補正後の補機の消費電力量とに応じて、バッテリの使用可能な範囲をアイドリングストップ用範囲と充電制御用範囲とに分ける。この結果、送風器の将来消費電力の増減が増大傾向である場合は、補機の消費電力量を増加させるように補正した上で、バッテリの使用可能な範囲をアイドリングストップ用範囲と充電制御用範囲とに分けることができるため、発電量の制御を最適化することができる。【００１５】
なお、本発明は、種々の態様で実現することが可能である。例えば、送風器の消費電力を推定する方法、送風器の消費電力を推定する方法を利用した車両制御方法、これらの方法を用いた車両、これらの方法を用いた車両制御システム、これらの方法を実現する機能を有するコンピュータプログラムを記録した記録媒体等の形態で実現することができる。
【図面の簡単な説明】
【００１６】
【図１】本発明の一実施例としての自動車の構成を示す説明図である。
【図２】アイドリングストップＥＣＵの構成を機能的に示す説明図である。
【図３】目標ＳＯＣ値Ｃ１と現在ＳＯＣ値Ｃ２との経時的な変化に伴って電圧指示値Ｓｖが変化する様子の一例を示すグラフである。
【図４】ラジエータ用電動ファンの将来消費電力の増減の推定手順を示すフローチャートである。
【図５】目標ＳＯＣ推定ルーチンを示すフローチャートである。
【図６】ＳＯＣ配分要求レベル算出用マップＭＰの一例を示す説明図である。
【図７】目標ＳＯＣ算出用テーブルＴＢの一例を示す説明図である。
【図８】第２実施例におけるラジエータ用電動ファンの将来消費電力の増減の推定手順を示すフローチャートである。
【発明を実施するための形態】
【００１７】
次に、本発明の実施の形態を実施例に基づいて説明する。
Ａ．第１実施例：
Ａ−１．全体構成：
図１は、本発明の一実施例としての自動車２００の構成を示す説明図である。自動車２００は、自動車２００の停止時には、一定条件のもとエンジンを停止させるアイドリングストップ機能を搭載している車両である。自動車２００は、エンジン１０と、変速機１５と、ディファレンシャルギア２０と、駆動輪２５と、スタータ３０と、オルタネータ３５と、バッテリ４０と、電子制御ユニット（ＥＣＵ：Electrical Control Unit）５０と、補機７０とを備えている。
【００１８】
エンジン１０は、ガソリンや軽油などの燃料を燃焼させることによって動力を発生させる内燃機関である。エンジン１０の動力は、変速機１５に伝達されるとともに、駆動機構３４を介してオルタネータ３５に伝達される。エンジン１０の出力は、運転者により操作される図示しないアクセルペダルの踏み込み量に応じて、ＥＣＵ５０により制御される。
【００１９】
変速機１５は、変速比の変更（いわゆるシフトチェンジ）を実行する。エンジン１０の動力（回転数）は、変速機１５によって変速され、所望の回転数・トルクとして、ディファレンシャルギア２０を介して、左右の駆動輪２５に伝達される。こうして、エンジン１０の動力は、アクセルペダルの踏み込み量に応じて変更されつつ、変速機１５を介して駆動輪２５に伝達されて、自動車２００の加速・減速が行なわれる。
【００２０】
オルタネータ３５にエンジン１０の動力を伝達する駆動機構３４は、本実施例では、ベルトドライブの構成を採用している。オルタネータ３５は、エンジン１０の動力の一部を用いて発電を行なう。発電された電力は、図示しないインバータを介してバッテリ４０の充電に用いられる。本実施例では、オルタネータ３５を用いたエンジン１０の動力による発電を「燃料発電」と呼ぶ。オルタネータ３５は、［請求の範囲］の欄に記載した「発電機」に相当する。
【００２１】
バッテリ４０は、電圧１４Ｖの直流電源としての鉛蓄電池であり、エンジン本体以外に設けられた補機７０に電力を供給する。
【００２２】
スタータ３０は、バッテリ４０から供給される電力によってエンジン１０を始動させるセルモータである。通常は、停止している自動車の運転を開始する際に、運転者が図示しないイグニッションスイッチを操作すると、スタータ３０によってエンジン１０が始動される。このスタータ３０は、以下で説明するように、アイドリングストップ状態からエンジン１０を再始動させる場合にも利用される。本実施例では、「アイドリングストップ状態」とは、アイドリングストップ制御による停止状態をいう。
【００２３】
ＥＣＵ５０は、エンジンＥＣＵ５２と、アイドリングストップＥＣＵ５４と、トランスミッションＥＣＵ５６とを含んでいる。各ＥＣＵは、それぞれ、コンピュータプログラムを実行するＣＰＵ、コンピュータプログラム等を記憶するＲＯＭ、一時的にデータを記憶するＲＡＭ、各種センサやアクチュエータ等に接続される入出力ポート等を備えている。ＥＣＵ５０に接続されるアクチュエータとしては、スタータ３０やオルタネータ３５等がある。なお、ＥＣＵ５０には、上記以外のＥＣＵ、例えば、補機７０を駆動させるための補機駆動用モータＥＣＵなどを含んでもよい。ＥＣＵ５０内の各ＥＣＵ５２、５４、５６は、バッテリ４０からの電力供給を受けて動作する。
【００２４】
エンジンＥＣＵ５２には、車輪速センサ８２と、ブレーキペダルセンサ８４と、アクセル開度センサ８６とが、それぞれ信号線を介して接続されている。車輪速センサ８２は、駆動輪２５の回転速度を検出する。ブレーキペダルセンサ８４は、図示しないブレーキペダルの踏み込みの有無を検出する。アクセル開度センサ８６は、図示しないアクセルペダルの踏み込み量をアクセル開度として検出する。エンジンＥＣＵ５２は、これらのセンサによって検出された情報に基づいて、燃料噴射量、スロットル開度等を調整してエンジン１０の運転状態を制御する。また、エンジンＥＣＵ５２は、車両の停止時にはアイドリングストップＥＣＵ５４からの要求に従って、エンジン１０に対する燃料噴射を停止してエンジン１０の運転を停止させる。さらに、エンジンＥＣＵ５２は、車両発進時にはアイドリングストップＥＣＵ５４からの要求に従って、スタータ３０またはオルタネータ３５を制御して、エンジン１０を始動させる。
【００２５】
アイドリングストップＥＣＵ５４には、エンジン水温センサ８１と、車輪速センサ８２と、車速センサ８３と、ブレーキペダルセンサ８４と、アクセル開度センサ８６と、バッテリ電流センサ８８と、オルタネータ電流センサ８９とが、それぞれ信号線を介して接続されている。エンジン水温センサ８１は、エンジン１０の冷媒（冷却水）の温度を検出する。車速センサ８３は、自動車２００の車速を検出する。バッテリ電流センサ８８は、バッテリ４０の充放電電流を検出する。オルタネータ電流センサ８９は、オルタネータ３５の出力電流を検出する。また、アイドリングストップＥＣＵ５４は、エンジンＥＣＵ５２と、トランスミッションＥＣＵ５６と、信号線を介して双方向通信可能に接続されている。アイドリングストップＥＣＵ５４は、これらのセンサによって検出された情報に基づいて、自動車２００の停止時におけるエンジン１０の運転を抑制するアイドリングストップ制御を実行する。さらに、アイドリングストップＥＣＵ５４は、エンジン１０の運転時における発電を、自動車２００の減速時の回生発電に限って実施する充電制御を行う。アイドリングストップ制御と充電制御の詳細は後述する。
【００２６】
なお、以降では、バッテリ４０の「蓄電状態」を示す言葉として「ＳＯＣ（Ｓtate of Ｃharge ）」を用いる。ＳＯＣは、バッテリ４０にどの程度の電力が残存しているかを示す指標であり、バッテリ４０に残存している電気量を、バッテリ４０を満充電したときに蓄えられる電気量で除した割合として定義される。換言すれば、ＳＯＣ＝バッテリ４０の残存電気量／バッテリ４０を満充電した際の電気量、である。
【００２７】
トランスミッションＥＣＵ５６は、車輪速センサ８２と、アクセル開度センサ８６と、図示しないシフトポジションセンサとが、それぞれ信号線を介して接続されている。トランスミッションＥＣＵ５６は、これらのセンサによって検出された情報に基づいて、図示しない油圧アクチュエータを制御し、変速機１５の変則比を変更する。
【００２８】
補機７０は、エンジン本体以外に設けられた周辺機器であって、バッテリ４０の電力を用いて動作する機器の総称である。自動車２００は補機７０として、ヘッドランプやテールランプを含む灯火系７２と、ワイパ７３と、空調装置（Ａ／Ｃ）７４と、ラジエータ用電動ファン７６と、ラジエータ７８と、を備えている。ラジエータ用電動ファン７６は、バッテリ４０からの電力供給による回転に伴い発生する風と、自動車２００の走行に伴い発生する走行風とを、ラジエータ７８内部へ導風する。ラジエータ７８は、図示しない冷却水循環ポンプを含み、図示しない配管を通してエンジン１０との間で冷媒を循環させる。ラジエータ７８は、冷媒と、ラジエータ用電動ファン７６からの送風との熱交換器として機能することで、エンジン１０の発熱を吸収してエンジン１０を冷却する。なお、ラジエータ用電動ファン７６は、［請求の範囲］の欄に記載した「送風器」に相当する。
【００２９】
Ａ−２．アイドリングストップＥＣＵの構成：
図２は、アイドリングストップＥＣＵ５４の構成を機能的に示す説明図である。アイドリングストップＥＣＵ５４は、アイドリングストップ制御部９０と、ＳＯＣ制御部１００とを備えている。アイドリングストップ制御部９０およびＳＯＣ制御部１００は、実際は、アイドリングストップＥＣＵ５４に備えられたＣＰＵが、ＲＯＭに記憶されたコンピュータプログラムを実行することで実現する機能を示す。
【００３０】
アイドリングストップ制御部９０は、主として車輪速センサ８２で検出された車輪速Ｖｈと、アクセル開度センサ８６で検出されたアクセル開度Ｔｐとを取得し、車輪速Ｖｈとアクセル開度Ｔｐとに基づいて、エンジン１０を停止／始動させる指示ＳｓをエンジンＥＣＵ５２に出力する。具体的には、アイドリングストップ制御部９０は、車輪速Ｖｈが低下して所定速度（例えば１０ｋｍ／ｈ）未満となったときに、エンジン停止条件が成立したとしてエンジン停止の指示ＳｓをエンジンＥＣＵ５２に出力する。また、アイドリングストップ制御部９０は、アクセル開度Ｔｐからアクセルペダルが踏み込まれたことが検出されたときに、エンジン再始動条件が成立したとしてエンジン再始動の指示ＳｓをエンジンＥＣＵ５２に出力する。なお、アイドリングストップ制御部９０は、車輪速Ｖｈとアクセル開度Ｔｐの他に、自動車２００の外気温、エンジン１０の冷媒の温度、バッテリ４０の現在のＳＯＣ等を考慮してエンジン停止の指示Ｓｓを出力することとしても良い。
【００３１】
すなわち、アイドリングストップ制御部９０は、エンジン停止条件が成立したときにエンジン１０を停止させ、前記停止後においてエンジン再始動条件が成立したときにエンジン１０を再始動させる。なお、前記エンジン停止条件およびエンジン再始動条件はあくまで一例であり、前述したものに限らない。例えば、車輪速Ｖｈが完全に０ｋｍ／ｈとなることをエンジン停止条件とすることもできるし、ブレーキペダルから足が離れたことをエンジン再始動条件とすることもできる。
【００３２】
ＳＯＣ制御部１００は、バッテリ４０の蓄電状態（ＳＯＣ）を制御する。ＳＯＣ制御部１００は、目標ＳＯＣ推定部１１０と、バッテリＳＯＣ算出部１２０と、指示値算出部１３０と、バッテリ制御部１４０とを備えている。
【００３３】
目標ＳＯＣ推定部１１０は、バッテリ４０の使用可能な範囲を、アイドリングストップ制御が実行可能なアイドリングストップ用範囲と、充電制御が実行可能な充電制御用範囲とに分ける。具体的には、目標ＳＯＣ推定部１１０は、自動車２００がアイドリングストップ状態である期間、具体的には、自動車２００の走行時（例えば、車輪速Ｖｈ＞０ｋｍ／ｈの時）に、アイドリングストップ制御によるエンジン停止から再始動までの期間（以下、「ストップアンドスタート期間」とも呼ぶ。）において使用すると予想されるＳＯＣを、目標ＳＯＣ（以下、「目標ＳＯＣ値」とも呼ぶ）Ｃ１として推定する。目標ＳＯＣ値Ｃ１は、アイドリングストップ用範囲の境界を示す。さらに、目標ＳＯＣ推定部１１０は、バッテリ４０の使用可能な範囲から、目標ＳＯＣ値Ｃ１を除いた他の範囲を、充電制御用範囲として推定する。詳細は後述する。なお、この目標ＳＯＣ推定部１１０において実行される処理が［請求の範囲］の欄に記載した「工程（ｇ）」に相当する。
【００３４】
なお、「バッテリ４０の使用可能な範囲」とは、バッテリ４０を運用するＳＯＣ範囲を意味する。バッテリ４０の使用可能な範囲には、下限値と上限値とがあり、原則としてバッテリ４０は、この使用可能な範囲内に限って使用される。例えば、バッテリ４０の使用可能な範囲の下限値が６０％、上限値が９０％であった場合、当該バッテリ４０は、ＳＯＣが６０％〜９０％の範囲内で使用される。
【００３５】
バッテリＳＯＣ算出部１２０は、バッテリ４０の蓄電状態（ＳＯＣ）を検出する。具体的には、バッテリＳＯＣ算出部１２０は、バッテリ電流センサ８８によって検出されたバッテリ４０の充放電電流（「バッテリ電流」とも呼ぶ。）Ａｂに基づいて、バッテリ４０の現在のＳＯＣ（以下、「現在ＳＯＣ値」とも呼ぶ。）Ｃ２を算出する。具体的には、バッテリＳＯＣ算出部１２０は、バッテリ４０の充電電流をプラス値とし、バッテリ４０の放電電流をマイナス値として充放電電流Ａｂを積算することで、現在ＳＯＣ値Ｃ２を算出する。バッテリ電流センサ８８およびバッテリＳＯＣ算出部１２０において実行される処理が［請求の範囲］の欄に記載した「工程（ｆ）」に相当する。なお、ＳＯＣ検出部は、バッテリ電流センサ８８によって検出されたバッテリ電流に基づいて算出するものに限る必要はなく、バッテリ電解液比重センサ、セル電圧センサ、バッテリ端子電圧センサ等に基づいて求める構成としてもよい。さらに、ＳＯＣ検出部は、バッテリに残存している電気量を検出する構成に限る必要もなく、例えば充電可能量等の他のパラメータで蓄電状態を検出するものとすることもできる。
【００３６】
指示値算出部１３０は、自動車２００の走行中に、バッテリ４０の残存容量がアイドリングストップ用範囲内となる状態を回避するように、換言すれば、バッテリ４０の残存容量を示す現在ＳＯＣ値Ｃ２がアイドリングストップ用範囲の境界を示す目標ＳＯＣ値Ｃ１を下回る状態が継続することを回避するように、オルタネータ３５の発電量を制御する。具体的には、指示値算出部１３０は、以下のような処理を行う。まず、指示値算出部１３０は、自動車２００の走行時に、目標ＳＯＣ値Ｃ１から現在ＳＯＣ値Ｃ２を差し引いた差分値を求める。指示値算出部１３０は、差分値＞０である場合、換言すれば、目標ＳＯＣ値Ｃ１が現在ＳＯＣ値Ｃ２を上回る場合に、現在ＳＯＣ値Ｃ２（現在のバッテリ４０の残存容量）がアイドリングストップ用範囲内となるため、オルタネータ３５による発電の必要があると判定する。この場合、指示値算出部１３０は、差分値を電圧指示値Ｓｖとしてオルタネータ３５へ送信し、オルタネータ３５に発電させる。
【００３７】
一方で、指示値算出部１３０は、差分値≦０である場合、換言すれば、目標ＳＯＣ値Ｃ１が現在ＳＯＣ値Ｃ２以下である場合に、現在ＳＯＣ値Ｃ２（現在のバッテリ４０の残存容量）がアイドリングストップ用範囲内ではなく、オルタネータ３５による発電の必要はない、すなわち、充電制御をしてよいと判定する。この場合、指示値算出部１３０は、電圧指示値Ｓｖ＝０をオルタネータ３５へ送信する。電圧指示値Ｓｖ＝０であるため、オルタネータ３５による発電は行われず、充電制御が実行される。なお、目標ＳＯＣ値Ｃ１が現在ＳＯＣ値Ｃ２以下の場合であっても、目標ＳＯＣ値Ｃ１が現在ＳＯＣ値Ｃ２を上回る場合と同様に、差分値（目標ＳＯＣ値Ｃ１−現在ＳＯＣ値Ｃ２）を電圧指示値Ｓｖとしてオルタネータ３５へ送信してもよい。この場合であっても、差分値はマイナス値であるため、オルタネータ３５による発電は行われず、充電制御が実行される。
【００３８】
図３は、目標ＳＯＣ値Ｃ１と現在ＳＯＣ値Ｃ２との経時的な変化に伴って、電圧指示値Ｓｖが変化する様子の一例を示すグラフである。指示値算出部１３０が定期的に上記の処理を繰り返すことによって、オルタネータ３５には、目標ＳＯＣ値Ｃ１と現在ＳＯＣ値Ｃ２との差分に応じた電圧指示値Ｓｖが順次送信される。このように、指示値算出部１３０は、自動車２００の走行中において燃料発電と充電制御とを使い分けることで、バッテリ４０の残存容量がアイドリングストップ用範囲内となる状態を回避するように、換言すれば、バッテリ４０の残存容量を示す現在ＳＯＣ値Ｃ２がアイドリングストップ用範囲の境界を示す目標ＳＯＣ値Ｃ１を下回る状態が継続することを回避するように、オルタネータ３５の発電量を制御することができる。なお、指示値算出部１３０において実行される処理が［請求の範囲］の欄に記載した「工程（ｈ）」に相当する。
【００３９】
バッテリ制御部１４０は、バッテリ４０が、その使用可能な範囲を超えて使用されることを抑制する。バッテリ、特に本実施例のバッテリ４０のような鉛バッテリは、長寿命化の要請から、使用可能な範囲（運用するＳＯＣ範囲）が予め定められている。このため、バッテリ制御部１４０は、バッテリ４０の使用可能な範囲の下限値（例えば６０％）をバッテリ４０の残存容量（現在ＳＯＣ値Ｃ２）が下回る場合、エンジン１０の動力を増大させて現在ＳＯＣ値Ｃ２を使用可能な範囲内とする。また、バッテリ制御部１４０は、バッテリ４０の使用可能な範囲の上限値（例えば９０％）を現在ＳＯＣ値Ｃ２が上回る場合、ＳＯＣを消費させて現在ＳＯＣ値Ｃ２を使用可能な範囲内とする。バッテリ制御部１４０は、例えば、アイドリングストップ制御によるエンジンの停止時においても現在ＳＯＣ値Ｃ２がバッテリ４０の使用可能な範囲の下限値を下回ると、エンジンを始動させて燃料発電を実施させ、ＳＯＣを使用可能な範囲内とする。
【００４０】
Ａ−３．目標ＳＯＣ推定部の構成：
目標ＳＯＣ推定部１１０は、走行環境予測部１１２と、自車両状態予測部１１４と、自車両状態補正部１１５と、ＳＯＣ配分要求レベル算出部１１６と、目標ＳＯＣ算出部１１８とを備える。走行環境予測部１１２と、自車両状態予測部１１４と、自車両状態補正部１１５とは、自動車２００の運転開始後、常に以下の推定処理を実行する。
【００４１】
走行環境予測部１１２は、自動車２００の走行環境（郊外、市街地、渋滞有無等の道路の混雑状況等）を推定する。本実施例において「走行環境」は、今後（現在以後）どれくらいの頻度でアイドリングストップ状態が発生するかを示すパラメータ、換言すれば、所定期間におけるストップアンドスタート期間の割合に関わるパラメータとして推定される。走行環境予測部１１２は、車輪速センサ８２によって検出された車輪速Ｖｈに基づいて、走行環境を示す指数である走行環境指数を算出する。具体的には、現在から遡る所定期間（例えば１０分間）における停車時間の比率Ｒを車輪速Ｖｈに基づいて算出し、その比率から走行環境指数Ｐ１を算出する。すなわち、所定期間において車輪速Ｖｈが値０となる停車時間の合計を求め、その合計を所定期間の全時間で割り算することで比率Ｒを算出し、その比率Ｒから走行環境指数Ｐ１を求めて、ＳＯＣ配分要求レベル算出部１１６へ出力する。
【００４２】
比率Ｒが高いということは、自動車２００の停止頻度が高く停止期間が長いことを意味し、今後の自動車２００の停止頻度も高く停止期間も長くなると推定することができる。このため、本実施例では、下記に従って走行環境指数Ｐ１を決定する。
・１０分間停止時間比率Ｒ＜３８％のとき、走行環境指数Ｐ１を値１とする。
・３８％≦１０分間停止時間比率Ｒ＜４２％のとき、走行環境指数Ｐ１を値２とする。
・４２％≦１０分間停止時間比率Ｒ＜４６％のとき、走行環境指数Ｐ１を値３とする。
・１０分間停止時間比率Ｒ≧４６％のとき、走行環境指数Ｐ１を値４とする。
【００４３】
なお、上記の閾値（３８％、４２％、４６％）はあくまで例示であり、別の数値とすることができる。また、求める走行環境指数Ｐ１は１〜４までの４つに限らず、３つ、５つ、６つ等の他の数とすることもできる。なお、走行環境指数Ｐ１が低い場合は郊外であり、走行環境指数Ｐ１が高い場合は市街地であると言えることから、走行環境指数Ｐ１の値が高いほど、市街化度が高いといえる。
【００４４】
なお、本実施例では、走行環境指数Ｐ１を車輪速センサ８２によって検出された車輪速Ｖｈに基づいて求めていたが、本発明ではこれに限られない。例えば、車速センサ８３によって検出された車速の平均値や、車輪速センサ８２によって検出された車輪速Ｖｈの変化率（すなわち加速度）や、ＭＴ（Manual Transmission）車の場合変速機のシフトポジションや、またはＡＴ（Automatic Transmission）車の場合の変速機のギヤ比等に基づいて求める構成としてもよい。すなわち、車速の平均値が低いほど市街化度が高くなることから、車速の平均値が低いほど走行環境指数Ｐ１を高い値とすればよい。車輪速Ｖｈの変化率が高いほど市街化度が高くなることから、車輪速Ｖｈの変化率が高いほど走行環境指数Ｐ１を高い値とすればよい。ＭＴ車の場合、変速機のシフトポジションが頻繁に行われるほど市街化度が高くなることから、変速機のシフトポジションが頻繁に行われるほど走行環境指数Ｐ１を高い値とすればよい。ＡＴ車の場合、変速機のギヤ比等が頻繁に切り換わるほど市街化度が高くなることから、変速機のギヤ比等が頻繁に切り換わるほど走行環境指数Ｐ１を高い値とすればよい。
【００４５】
なお、車輪速Ｖｈと車輪速Ｖｈに替わる各パラメータは、それらの中から選択した１つに基づいて走行環境指数Ｐ１を求める構成に限る必要もなく、２つ以上のパラメータに基づいて走行環境指数Ｐ１を求める構成としてもよい。２つ以上のパラメータを採用する場合、各パラメータに個別の重み付け指数を掛けて走行環境指数Ｐ１を求める構成とすることが好ましい。なお、前述した車輪速Ｖｈと車輪速Ｖｈに替わる各パラメータを採用することで、自動車２００という自律系のみで走行環境を推定することができる。これに対して、自律系の外側から取得する情報に基づいて、走行環境指数Ｐ１を求める構成としてもよい。自律系の外側から取得する情報としては、ナビゲーションシステムの道路地図情報等がある。ナビゲーションシステムの道路地図情報に基づいて今後の走行地位置が市街地か郊外かを見極めて、走行環境指数Ｐ１を求めることができる。
【００４６】
自車両状態予測部１１４は、自動車２００の状態を推定する。本実施例において「自車両状態」は、自動車２００が今後どの程度ＳＯＣを消費するかを表すパラメータとして推定される。自車両状態予測部１１４は、オルタネータ電流センサ８９によって検出されたオルタネータ電流Ａａからバッテリ電流センサ８８によって検出されたバッテリ電流Ａｂを除算することにより、補機７０で消費される電力量を算出し、その電力量を自車両状態Ｐ２として自車両状態補正部１１５へ出力する。なお、補機７０で消費される電力量が大きいときにはＳＯＣを消費する速度が早くなることから、本実施例では、自動車２００が今後消費するＳＯＣを表わすパラメータとして補機７０で費やす電力量を求めている。
【００４７】
なお、自車両状態Ｐ２を、補機７０で消費される電力量に基づいて求めていたが、本発明ではこれに限られない。例えば、空調装置（Ａ／Ｃ）の消費電力と対応関係がある空調情報（例えば、設定温度と車内温度との差）や、エンジン水温と周囲温度との差などのエンジンの暖機状況を示す情報や、乗員人数や重量に関する情報等に基づいて求める構成とすることができる。なお、補機７０で費やす電力量や空調情報や暖機状況情報等の中から選択した１つのパラメータに基づいて自車両状態Ｐ２を求める構成に限る必要もなく、２つ以上のパラメータに基づいて自車両状態Ｐ２を求める構成としてもよい。２つ以上のパラメータを採用する場合、各パラメータに個別の重み付け指数を掛けて自車両状態Ｐ２を求める構成とすることが好ましい。
【００４８】
さらに、前述した各例は、現在検出されるセンサ信号によって補機の現在の動作状況を求め、その現在の動作状況を今後の自車両状態と見なすものであったが、これに替えて、上記のように求めた現在の動作状況から動作状況が変化する兆候を捕らえることで、今後の自車両状態を推定する構成としてもよい。
【００４９】
自車両状態補正部１１５は、ラジエータ用電動ファン７６において今後消費される消費電力（「将来消費電力」とも呼ぶ。）の増減を推定し、将来消費電力の増減を用いて、自車両状態Ｐ２を補正する。なお、本実施例において「増減」とは、増加、現状維持、減少、を含む。
【００５０】
図４は、ラジエータ用電動ファン７６の将来消費電力の増減の推定手順を示すフローチャートである。まず、自車両状態補正部１１５は、エンジン１０の発熱状態を推定する（ステップＳ１０）。具体的には、自車両状態補正部１１５は、エンジン水温センサ８１によって検出されたエンジン１０の冷媒の温度（エンジン水温Ｗｔ）が所定の閾値ＷＴＨ１よりも大きいか否かを判定する。なお、本実施例において「エンジン１０の発熱状態」とは、エンジン１０の温度上昇、現状維持、下降を予測するための指標として用いられる。
【００５１】
エンジン水温Ｗｔが所定の閾値ＷＴＨ１以下である場合（ステップＳ１１０：ＮＯ）、自車両状態補正部１１５は、エンジン１０の発熱状態が低く、ラジエータ用電動ファン７６の将来消費電力は現状維持傾向であると推定する（ステップＳ１２）。これは、エンジン１０の発熱状態が低いために、ラジエータ用電動ファン７６の電流値は今後も維持されることが予測できるからである。従って、自車両状態補正部１１５は、自車両状態予測部１１４から受信した自車両状態Ｐ２を補正せずに、そのまま自車両状態Ｐ２ａとしてＳＯＣ配分要求レベル算出部１１６へ出力し、処理を終了する。
【００５２】
一方、エンジン水温Ｗｔが所定の閾値ＷＴＨ１より大きい場合（ステップＳ１０：ＹＥＳ）、自車両状態補正部１１５は、エンジン１０の発熱状態が高いと推定する。そこで、自車両状態補正部１１５は、自動車２００の移動速度を推定する（ステップＳ１４）。具体的には、自車両状態補正部１１５は、現在から遡る所定期間（例えば３０秒間）に車速センサ８３によって検出された車速Ｖｓの平均値（移動平均車速）を求める。そして、自車両状態補正部１１５は、求めた移動平均車速が所定の閾値ＶＴＨ１以上であるか否かを判定する。
【００５３】
移動平均車速が所定の閾値ＶＨＴ１以上である場合（ステップＳ１４：ＹＥＳ）、自車両状態補正部１１５は、ラジエータ用電動ファン７６の将来消費電力は現状維持傾向であると推定する（ステップＳ１６）。これは、エンジン１０の発熱状態は高いものの、自動車２００の移動平均車速が大きく、自動車２００の走行に伴い発生する走行風がラジエータ７８へ導風されるために、ラジエータ用電動ファン７６の電流値は今後も維持されることが予測できるからである。従って、自車両状態補正部１１５は、自車両状態予測部１１４から受信した自車両状態Ｐ２を補正せずに、そのまま自車両状態Ｐ２ａとしてＳＯＣ配分要求レベル算出部１１６へ出力し、処理を終了する。
【００５４】
一方、移動平均車速が所定の閾値ＶＨＴ１よりも小さい場合（ステップＳ１４：ＮＯ）、自車両状態補正部１１５は、ラジエータ用電動ファン７６の将来消費電力は増大傾向であると推定する（ステップＳ１８）。これは、エンジン１０の発熱状態が高く、かつ、自動車２００の移動平均車速が小さいため、自動車２００の走行に伴い発生する走行風が弱く、ラジエータ７８への風量が少ないことが予測できるからである。すなわち、この場合は、ラジエータ７８への送風のためにラジエータ用電動ファン７６を強く働かせる必要があると予測できる。従って、自車両状態補正部１１５は、自車両状態予測部１１４から受信した自車両状態Ｐ２をより大きな値へ補正し、自車両状態Ｐ２ａとしてＳＯＣ配分要求レベル算出部１１６へ出力し、処理を終了する。この際の補正量は、任意に定めることができる。例えば、補正量は、エンジン水温Ｗｔと、移動平均車速と、補正量との対応関係を定めたマップを予めＲＯＭ内に記憶させておき、当該マップに基づいて決定することができる。
【００５５】
なお、なお、自車両状態補正部１１５が実行するラジエータ用電動ファン７６の将来消費電力の増減の推定手順において、移動平均車速を推定するステップ、および、推定された移動平均車速を考慮するステップは省略可能である。また、上記では、自動車２００の移動速度として「移動平均車速」を用いるものとした。しかし、移動速度はこれにかぎられず、種々の方法で決定することができる。例えば、現在から遡る所定期間に車速センサ８３によって検出された車速Ｖｓの中央値や、最頻値や、標準偏差等により決定してもよい。また、所定の閾値ＷＴＨ１およびＶＴＨ１には、任意の値を採用することができる。例えば、これら所定の閾値は、外気温や自動車２００の車種等に応じて適宜変更することができる。自車両状態補正部１１５おいて実行される上記処理のうち、ステップＳ１０が［請求の範囲］の欄に記載した「工程（ａ）」に、ステップＳ１４が［請求の範囲］の欄に記載した「工程（ｃ）」に、ステップＳ１２、Ｓ１６、Ｓ１８が［請求の範囲］の欄に記載した「工程（ｂ）」に、それぞれ相当する。
【００５６】
ＳＯＣ配分要求レベル算出部１１６は、走行環境予測部１１２から受信した走行環境指数Ｐ１と、自車両状態補正部１１５から受信した自車両状態Ｐ２ａとに基づいてＳＯＣ配分要求レベルＰ３を算出する。目標ＳＯＣ算出部１１８は、ＳＯＣ配分要求レベル算出部１１６から受信したＳＯＣ配分要求レベルＰ３に基づいて目標ＳＯＣ値Ｃ１を算出する。以下に詳述する。
【００５７】
図５は、目標ＳＯＣ推定ルーチンを示すフローチャートである。この目標ＳＯＣ推定ルーチンは、ＳＯＣ配分要求レベル算出部１１６と目標ＳＯＣ算出部１１８とによって、車両の走行時に所定時間（例えば、６０秒）毎に繰り返し実行される。すなわち、目標ＳＯＣ推定ルーチンは、アイドリングストップ制御によるエンジン１０の停止時には実行されない。
【００５８】
処理が開始されると、ＳＯＣ配分要求レベル算出部１１６は、走行環境予測部１１２から受信した走行環境指数Ｐ１を取得する（ステップＳ１００）。また、ＳＯＣ配分要求レベル算出部１１６は、自車両状態補正部１１５から受信した自車両状態Ｐ２ａを取得する（ステップＳ２００）。
【００５９】
ステップＳ２００実行後、ＳＯＣ配分要求レベル算出部１１６は、ＳＯＣ配分要求レベル算出用マップＭＰを用いて、走行環境指数Ｐ１と自車両状態Ｐ２ａとに基づいて、ＳＯＣ配分要求レベルを算出する処理を行う（ステップＳ３００）。「ＳＯＣ配分要求レベル」とは、バッテリ４０の使用可能な範囲を、アイドリングストップ制御が実行可能なアイドリングストップ用範囲と、充電制御が実行可能な充電制御用範囲とに分けたときの、配分のレベルを指定するパラメータである。
【００６０】
図６は、ＳＯＣ配分要求レベル算出用マップＭＰの一例を示す説明図である。図示のように、ＳＯＣ配分要求レベル算出用マップＭＰは、横軸に走行環境指数Ｐ１をとり、縦軸に自車両状態Ｐ２ａをとり、横軸の値と縦軸の値とに対応するＳＯＣ配分要求レベルＰ３をマッピングしたマップデータである。ＳＯＣ配分要求レベル算出用マップＭＰは、走行環境指数Ｐ１と、自車両状態Ｐ２ａと、ＳＯＣ配分要求レベルＰ３との関係を、実験的にあるいはシミュレーションにより求めることによって作成されている。ＳＯＣ配分要求レベル算出用マップＭＰは、予め作成され、ＲＯＭに記憶されている。
【００６１】
図５のステップＳ３００において、ＳＯＣ配分要求レベル算出部１１６は、ＲＯＭ内のＳＯＣ配分要求レベル算出用マップＭＰを参照し、ステップＳ１００で取得した走行環境指数Ｐ１と、ステップＳ２００で取得した自車両状態Ｐ２ａとに対応するＳＯＣ配分要求レベルＰ３を取得する。図６の例では、ＳＯＣ配分要求レベルＰ３としてＡ、Ｂ、Ｃ、Ｄの４つの値が用意され、Ａ、Ｂ、Ｃ、Ｄはこの順で高い値となっている。走行環境指数Ｐ１が高いほど、また、自車両状態Ｐ２ａが高いほど、ＳＯＣ配分要求レベルＰ３は高い値となる。
【００６２】
ステップＳ３００実行後、目標ＳＯＣ算出部１１８は、目標ＳＯＣ算出用テーブルＴＢを用いて、ＳＯＣ配分要求レベルＰ３に基づく目標ＳＯＣ値Ｃ１の算出処理を行う（ステップＳ４００）。なお、「目標ＳＯＣ値Ｃ１」は、上述の通り、アイドリングストップ用範囲の境界を示す。
【００６３】
図７は、目標ＳＯＣ算出用テーブルＴＢの一例を示す説明図である。図示のように、目標ＳＯＣ算出用テーブルＴＢは、横軸にＳＯＣ配分要求レベルＰ３をとり、縦軸に目標ＳＯＣ値Ｃ１をとり、直線ＬでＳＯＣ配分要求レベルＰ３と目標ＳＯＣ値Ｃ１の関係を示している。目標ＳＯＣ算出用テーブルＴＢは、ＳＯＣ配分要求レベルＰ３と、目標ＳＯＣ値Ｃ１との関係を、実験的にあるいはシミュレーションにより求めることによって作成されている。目標ＳＯＣ算出用テーブルＴＢは、予め作成され、ＲＯＭに記憶されている。
【００６４】
目標ＳＯＣ算出用テーブルＴＢにおいて、直線Ｌで示されている目標ＳＯＣ値Ｃ１は、バッテリ４０の使用可能な範囲（図ではＷとして標記）の中に限って設定されている。すなわち、バッテリ４０の使用可能な範囲Ｗは、目標ＳＯＣ値Ｃ１で表わされるアイドリングストップ用範囲と、Ｗから目標ＳＯＣ値Ｃ１を除いた他の範囲で表わされる充電制御用範囲と、に分けられているといえる。なお、目標ＳＯＣ値Ｃ１を示す直線Ｌの態様はあくまで一例であり、これに限られない。例えば、ＳＯＣ配分要求レベルＰ３が所定値以下のときには直線ＬはＳＯＣ配分要求レベルＰ３の上昇に従ってリニアに増大し、ＳＯＣ配分要求レベルＰ３が所定値を上回るときには直線Ｌは一定値を維持するような態様としてもよい。この構成は、使用可能な範囲Ｗが比較的小さいバッテリの場合に特に有効である。さらに、目標ＳＯＣ値Ｃ１は、直線Ｌに換えて曲線で示してもよい。
【００６５】
図５のステップＳ４００において、目標ＳＯＣ算出部１１８は、ＲＯＭ内の目標ＳＯＣ算出用テーブルＴＢを参照し、ステップＳ３００で算出されたＳＯＣ配分要求レベルＰ３に対応する目標ＳＯＣ値Ｃ１を取得する。ステップＳ４００実行後、目標ＳＯＣ算出部１１８は、ステップＳ４００で取得した目標ＳＯＣ値Ｃ１を指示値算出部１３０に出力し（ステップＳ５００）、その後、処理を終了する。
【００６６】
目標ＳＯＣ値Ｃ１を取得した指示値算出部１３０では、上述のように、自動車２００の走行中に、現在のバッテリ４０の残存容量がアイドリングストップ用範囲内となる状態を回避するように、換言すれば、バッテリ４０の残存容量を示す現在ＳＯＣ値Ｃ２がアイドリングストップ用範囲の境界を示す目標ＳＯＣ値Ｃ１を下回る状態が継続することを回避するように、オルタネータ３５の発電量が制御される。また、指示値算出部１３０では、現在のバッテリ４０の残存容量がアイドリングストップ用範囲を超える場合、充電制御が実行される。
【００６７】
すなわち、図７において、現在ＳＯＣ値Ｃ１がアイドリングストップ用範囲に割り当てられた領域（図中の格子領域）内に位置するときには、燃料発電が実行されてバッテリ４０への充電が行われる。一方、現在ＳＯＣ値Ｃ１が充電制御用範囲に割り当てられた領域（図中の斜線領域）内に位置するときには、充電制御が実行されて燃料発電によるバッテリ４０への充電が抑えられる。
【００６８】
以上のように、第１実施例によれば、自車両状態補正部１１５は、エンジン１０の発熱状態を推定し、推定された発熱状態を用いて、ラジエータ用電動ファン７６（送風器）において今後消費される将来消費電力の増減を推定する。ラジエータ７８による冷却対象であるエンジン１０の発熱状態は、ラジエータ７８に送風するラジエータ用電動ファン７６が今後どの程度駆動されるか、すなわち、ラジエータ用電動ファン７６によってこれから消費される将来消費電力に関連する重要な要因である。従って、上記第１実施例のような構成とすれば、ファンの将来消費電力の増減を精度よく推定することができる。
【００６９】
また、上記第１実施例では、自車両状態補正部１１５は、エンジン１０の発熱状態に加えて、さらに、自動車２００の移動速度を推定し、推定された発熱状態と移動速度とを用いて、ラジエータ用電動ファン７６において今後消費される将来消費電力の増減を推定する。ラジエータ７８へ導風される走行風の強弱に密接に関連する自動車２００の移動速度は、ラジエータ７８に送風するラジエータ用電動ファン７６が今後どの程度駆動されるか、すなわち、ラジエータ用電動ファン７６によってこれから消費される将来消費電力に関連する重要な要因である。従って、上記第１実施例のような構成とすれば、ファンの将来消費電力の増減を、より精度よく推定することができる。
【００７０】
自車両状態補正部１１５は、エンジン１０の発熱状態が所定値よりも高い場合であっても、自動車２００の移動速度が所定値よりも大きい場合は、自動車２００の走行に伴い発生する走行風がラジエータ７８へ導風されるために、ラジエータ用電動ファン７６の将来消費電力は現状維持傾向であると推定する。また、自車両状態補正部１１５は、エンジン１０の発熱状態が所定値よりも高く、かつ、自動車２００の移動速度が所定値よりも小さい場合は、自動車２００の走行に伴い発生する走行風が弱く、ラジエータ７８への風量が少ない、すなわち、ラジエータ７８への送風のためにラジエータ用電動ファン７６を強く働かせる必要があるために、ラジエータ用電動ファン７６の将来消費電力は増大傾向であると推定する。このようにすれば、自車両状態補正部１１５は、実際の車両の移動速度と、移動速度に伴う走行風の強弱を考慮して、実態に即した推定を行うことができる。
【００７１】
さらに、ＳＯＣ制御部１００は、自車両状態補正部１１５により推定されたラジエータ用電動ファン７６の将来消費電力の増減に応じて、バッテリ４０の使用可能な範囲を、アイドリングストップ制御が実行可能なアイドリングストップ用範囲と、充電制御が実行可能な充電制御用範囲とに分ける。さらに、指示値算出部１３０は、自動車２００の走行中において、バッテリ４０の残存容量がアイドリングストップ用範囲内となる状態を回避するように、換言すれば、バッテリ４０の残存容量を示す現在ＳＯＣ値Ｃ２がアイドリングストップ用範囲の境界を示す目標ＳＯＣ値Ｃ１を下回る状態が継続することを回避するように、発電機の発電量を制御する。このため、アイドリングストップ制御によるエンジン停止から再始動までの間にバッテリ４０の残存容量不足の状態からエンジンが再始動されることを抑制するための発電量の制御（指示値算出部１３０の実行する制御）において、ラジエータ用電動ファン７６の将来消費電力の増減を考慮することができる。この結果、発電量の制御を最適化することができる。
【００７２】
指示値算出部１３０による発電量の制御が最適化されれば、従来の問題、すなわち、自動車２００がアイドリングストップ状態にあるときにバッテリ４０の残存容量がバッテリ４０の使用可能な範囲の下限値を下回り、バッテリ制御部１４０によるエンジン１０の再始動・燃料発電が行われる、という問題が発生することを抑制することができる。アイドリングストップ状態にあるエンジン１０を再始動させて燃料発電をする場合は、エンジン１０が運転中にその動力を増大させて燃料発電する場合と比較して、約３倍〜５倍程度の燃料が必要となる。換言すれば、エンジン１０の運転中における単位ＳＯＣ（例えばＳＯＣ１％）当たりの燃費効果は、アイドリングストップ状態にあるエンジン１０を再始動させる場合に比べて３倍から５倍優れている。従って、本実施例の自動車２００は、発電量の制御が最適化されることによって、自動車２００がアイドリングストップ状態にあるときにおけるエンジン１０の再始動と燃料発電を抑制することができるため、従来に比べて自動車２００の燃費を向上させることができる。
【００７３】
Ｂ．第２実施例：
本発明の第２実施例では、ラジエータ用電動ファン７６の将来消費電力の増減の推定手順が異なる構成について説明する。なお、図中において第１実施例と同様の構成部分については先に説明した第１実施例と同様の符号を付し、その詳細な説明を省略する。
【００７４】
Ｂ−１．全体構成：
第２実施例における自動車２００の全体構成は、図１に示した第１実施例と同様である。
【００７５】
Ｂ−２．アイドリングストップＥＣＵの構成：
第２実施例におけるアイドリングストップＥＣＵ５４の構成は、図２に示した第１実施例と同様である。
【００７６】
Ｂ−３．目標ＳＯＣ推定部の構成：
第２実施例における目標ＳＯＣ推定部１１０の構成は、自車両状態補正部１１５において実行される処理を除いて、図２に示した第１実施例と同様である。
【００７７】
図８は、第２実施例におけるラジエータ用電動ファン７６の将来消費電力の増減の推定手順を示すフローチャートである。図４に示した第１実施例との違いは、ステップＳ１０、Ｓ１２に代えてステップＳ２０、Ｓ２２を備える点と、さらに、ステップＳ２４、Ｓ３０を備える点のみであり、他の動作は第１実施例と同様である。
【００７８】
まず、自車両状態補正部１１５は、エンジン１０の発熱状態を推定する（ステップＳ２０）。具体的には、自車両状態補正部１１５は、現在から遡る所定期間（例えば１分間）のうち、エンジンＥＣＵ５２から取得したスロットル開度が所定の閾値を越えて大きくなった時間の割合を求め、「スロットル開度大となった頻度」を得る。自車両状態補正部１１５は、スロットル開度大となった頻度が所定の閾値ＳＴＨ１よりも大きいか否かを判定する。
【００７９】
スロットル開度大となった頻度が所定の閾値ＳＴＨ１以下である場合（ステップＳ２０：ＮＯ）、自車両状態補正部１１５は、エンジン１０の発熱状態が低く、ラジエータ用電動ファン７６の将来消費電力は現状維持傾向であると推定する（ステップＳ２２）。これは、エンジン１０の発熱状態が低いために、ラジエータ用電動ファン７６の電流値は今後も維持されることが予測できるからである。従って、自車両状態補正部１１５は、自車両状態予測部１１４から受信した自車両状態Ｐ２を補正せずに、そのまま自車両状態Ｐ２ａとしてＳＯＣ配分要求レベル算出部１１６へ出力し、処理を終了する。
【００８０】
一方、スロットル開度大となった頻度が所定の閾値ＳＴＨ１よりも大きい場合（ステップＳ２０：ＹＥＳ）、自車両状態補正部１１５は、エンジン１０の発熱状態が高いと推定する。そこで、自車両状態補正部１１５は、自動車２００の走行環境を推定する（ステップＳ２４）。具体的には、自車両状態補正部１１５は、現在から遡る所定期間（例えば３０秒間）におけるエンジンＥＣＵ５２から取得したスロットル開度の平均値（平均スロットル開度）を求める。そして、自車両状態補正部１１５は、求めた平均スロットル開度が所定の閾値ＳＴＨ２よりも大きいか否かを判定する。
【００８１】
平均スロットル開度が所定の閾値ＳＴＨ２よりも大きい場合（ステップＳ２４：ＹＥＳ）、自車両状態補正部１１５は、ラジエータ用電動ファン７６の将来消費電力は増大傾向であると推定する（ステップＳ３０）。これは、エンジン１０の発熱状態が高く、また、平均スロットル開度が大きい（高い）ことから、自動車２００の走行環境が、例えば登坂路等のエンジン負荷が高く車速の低い環境であることが予測されるからである。このように、エンジン回転数とエンジントルクが大きく、かつ、車速が小さい場合、自動車２００の走行に伴い発生する走行風が弱く、ラジエータ７８への風量が少ないことが予測でき、ラジエータ７８への送風のためにラジエータ用電動ファン７６を強く働かせる必要があると予測できる。従って、自車両状態補正部１１５は、自車両状態予測部１１４から受信した自車両状態Ｐ２をより大きな値へ補正し、自車両状態Ｐ２ａとしてＳＯＣ配分要求レベル算出部１１６へ出力し、処理を終了する。この際の補正量は、任意に定めることができる。例えば、補正量は、平均スロットル開度と、補正量との対応関係を定めたマップを予めＲＯＭ内に記憶させておき、当該マップに基づいて決定することができる。
【００８２】
一方、平均スロットル開度が所定の閾値ＳＴＨ２以下である場合（ステップＳ２４：ＮＯ）、自車両状態補正部１１５は、ステップＳ１４を実行する。ステップＳ１４以降の詳細は、図４に示した第１実施例と同様である。ただし、第２実施例のステップＳ１８では、自車両状態Ｐ２の補正量を決定する際に、例えば、平均スロットル開度と、移動平均車速と、補正量との対応関係を定めたマップを予めＲＯＭ内に記憶させておき、当該マップに基づいて決定する。
【００８３】
なお、なお、第１実施例と同様に、自車両状態補正部１１５が実行するラジエータ用電動ファン７６の将来消費電力の増減の推定手順において、移動平均車速を推定するステップ、および、推定された移動平均車速を考慮するステップは省略可能である。また、上記では、エンジン１０の発熱状態を推定するために「スロットル開度大となった頻度」を、自動車２００の走行環境を推定するために「平均スロットル開度」を、それぞれ用いるものとした。しかし、これらはあくまで一例であり、エンジン１０の発熱状態や自動車２００の速度を推定するためには、種々の方法を用いることができる。例えば、スロットル開度に代えて、アクセル開度センサ８６の検出値を用いて推定してもよい。また、上記では、自動車２００の移動速度として「移動平均車速」を用いるものとした。しかし、移動速度はこれにかぎられず、種々の方法で決定することができる。詳細は第１実施例で説明した通りである。さらに、「スロットル開度大となった頻度」を得るための所定の閾値、および、上記所定の閾値ＳＴＨ１、ＳＴＨ２、ＶＴＨ１には、任意の値を採用することができる。
【００８４】
以上のように、第２実施例によれば、自車両状態補正部１１５は、エンジン１０の発熱状態と自動車２００（車両）の走行環境と、自動車２００の移動速度とを推定し、推定された発熱状態と、走行環境と、移動速度と、を用いて、ラジエータ用電動ファン７６（ファン）において今後消費される将来消費電力の増減を推定する。すなわち、第２実施例では、第１実施例の構成に加えて、さらに、自動車２００の走行環境（平均スロットル開度から求められる走行環境）をも考慮した上で、ラジエータ用電動ファン７６（ファン）において今後消費される将来消費電力の増減を推定するため、将来消費電力の増減を、より高精度に推定することができる。
【００８５】
Ｃ．変形例：
なお、この発明は上記の実施例や実施形態に限られるものではなく、その要旨を逸脱しない範囲で種々の構成を採ることができる。例えば、ソフトウェアによって実現した機能は、ハードウェアによって実現するものとしてもよい。そのほか、以下のような変形が可能である。
【００８６】
Ｃ１．変形例１：
上記実施例では、車両として自動車を例示した。しかし、車両としては自動車に限られず、種々の実施態様を採用してよい。例えば、二輪車、気動車等の態様で実施できる。
【００８７】
上記実施例では、車両としての自動車の構成の一例を示した。しかし、これらの構成は、本発明の要旨を逸脱しない範囲において任意に定めることができ、図１に示した構成部の追加・削除・変換等が可能である。
【００８８】
例えば、上記実施例では、バッテリは鉛蓄電池としたが、本発明ではこれに限られない。例えば、リチウムイオン蓄電池、ロッキングチェア型蓄電体等の他の種類のバッテリに替えることもできる。
【００８９】
Ｃ２．変形例２：
上記実施例では、自車両状態補正部が、自車両状態予測部から受信した自車両状態Ｐ２を補正する際の方法の一例（予め記憶されたマップを用いて補正する方法）を示した。しかし、上述した方法はあくまで一例であり、自車両状態補正部は、自車両状態Ｐ２を任意の方法で補正することができる。
【００９０】
例えば、自車両状態補正部は、予め定められた任意の数値を一律に上乗せする態様で自車両状態Ｐ２を補正してもよい。また、例えば、移動平均車速と、補正量との対応関係を定めたマップに基づいて補正してもよい。
【００９１】
Ｃ３．変形例３：
上記実施例では、ラジエータ用電動ファンの将来消費電力の増減の推定手順の一例を示した。しかし、上述した手順はあくまで一例であり、任意の方法を採用することができる。
【００９２】
例えば、自車両状態補正部は、第１実施例ではエンジンの水温を用いて、第２実施例ではエンジンのスロットル開度を用いて、エンジンの発熱状態を推定するものとした。しかし、自車両状態補正部は、例えば、エンジン回転数を用いてエンジンの発熱状態を推定してもよい。また、自車両状態補正部は、エンジン水温と、エンジンのスロットル開度と、エンジンの回転数と、のうちの少なくとも２つ以上の組み合わせでエンジンの発熱状態を推定してもよい。そうすれば、エンジン発熱状態の推定方法を任意に選択することができる。また、複数の条件の組み合わせによりエンジン発熱状態を推定することとすれば、エンジン発熱状態の推定の精度を向上させることができる。
【００９３】
Ｃ４．変形例４：
上記実施例では、ＳＯＣ配分要求レベルＰ３を走行環境指数Ｐ１および自車両状態Ｐ２ａに基づいて求めていたが、これに換えて、自動車２００のインストルメントパネル（図示せず）に運転者により操作されるダイヤルを設け、そのダイヤルの操作量に応じてＳＯＣ配分要求レベルＰ３を求める構成としてもよい。運転者は、例えば郊外から市街地に入るような場合に、ダイヤルを「高」側に切り換えてＳＯＣ配分要求レベルＰ３が大きくなるように設定することで、アイドリングストップ用範囲への配分率を大きくすることができる。この構成によれば、運転者が、これから進む地域を判っていてＳＯＣ配分要求レベルを設定することが可能な場合に、ストップアンドスタート期間において使用する最大ＳＯＣを走行環境から高精度に設定することができる。なお、ダイヤルは「高」と「低」の２段階を指示できるものであってもよいし、３以上の多段で指示できるものであってもよい。また、ダイヤルはスイッチ等の他の入力手段に替えることもできる。さらに、ダイヤルの操作量だけでＳＯＣ配分要求レベルＰ３を求めるのではなく、前記実施例で走行環境指数Ｐ１と自車両状態Ｐ２ａから求めたＳＯＣ配分要求レベルＰ３を、前記ダイヤルの操作量に基づいて補正する構成とすることもできる。
【００９４】
Ｃ５．変形例５：
上記実施例では、走行環境指数Ｐ１と自車両状態Ｐ２ａに基づいてＳＯＣ配分要求レベルＰ３を一旦求め、ＳＯＣ配分要求レベルＰ３に基づいて目標ＳＯＣを算出する構成であったが、これに換えて、走行環境指数Ｐ１と自車両状態Ｐ２ａに基づいて、目標ＳＯＣを直接、算出する構成としてもよい。すなわち、走行環境指数Ｐ１と自車両状態Ｐ２ａに基づいて、バッテリの使用可能ＳＯＣ範囲を充電制御用とアイドリングストップ用とを配分する配分率を直接算出する構成としてもよい。同様に上記変形例１においても、ダイヤルの操作量に基づいて目標ＳＯＣを直接、算出する構成としてもよい。
【００９５】
Ｃ６．変形例６：
上記実施例では、ＳＯＣ配分要求レベルは、走行環境指数Ｐ１と自車両状態Ｐ２ａの両方に基づいて算出していたが、これに換えて、走行環境指数Ｐ１と自車両状態Ｐ２ａのいずれか一方に基づいて算出する構成としてもよい。
【００９６】
Ｃ７．変形例７：
なお、前述した実施例および各変形例における構成要素の中の、独立請求項で記載された要素以外の要素は、付加的な要素であり、適宜省略可能である。例えば、通常走行中はバッテリへの充電を行わないことで燃料消費量を低減し、減速時に回生発電によりバッテリへの充電を行なう充電制御についても省略することができる。
【符号の説明】
【００９７】
１０…エンジン
１５…変速機
２０…ディファレンシャルギア
２５…駆動輪
３０…スタータ
３４…駆動機構
３５…オルタネータ
４０…バッテリ
５０…ＥＣＵ
５２…エンジンＥＣＵ
５４…アイドリングストップＥＣＵ
５６…トランスミッションＥＣＵ
７０…補機
７２…灯火系
７３…ワイパ
７６…ラジエータ用電動ファン
７８…ラジエータ
８１…エンジン水温センサ
８２…車輪速センサ
８３…車速センサ
８４…ブレーキペダルセンサ
８６…アクセル開度センサ
８８…バッテリ電流センサ
８９…オルタネータ電流センサ
９０…アイドリングストップ制御部
１１２…走行環境予測部
１１４…自車両状態予測部
１１５…自車両状態補正部
１３０…指示値算出部
１４０…バッテリ制御部
２００…自動車
【図１】
2013105126.tif 000003
【図２】
2013105126.tif 000004
【図３】
2013105126.tif 000005
【図４】
2013105126.tif 000006
【図５】
2013105126.tif 000007
【図６】
2013105126.tif 000008
【図７】
2013105126.tif 000009
【図８】
2013105126.tif 000010
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
エンジンと、前記エンジンによって駆動される発電機によって充電可能なバッテリと、ラジエータと、前記バッテリに蓄電された電力を消費して前記ラジエータに送風する送風器と、を有する車両において、前記送風器の消費電力を推定する方法であって、
（ａ）前記エンジンのスロットル開度を用いて前記エンジンの発熱状態を推定する工程と、
（ｂ）推定された前記発熱状態を用いて、前記送風器において今後消費される将来消費電力の増減を推定する工程と、
を備える方法。
【請求項２】
請求項１記載の前記送風器の消費電力を推定する方法であって、さらに、
（ｃ）前記車両の移動速度を推定する工程を備え、
前記工程（ｂ）は、推定された前記発熱状態と、推定された前記移動速度と、を用いて、前記送風器において今後消費される将来消費電力の増減を推定する、方法。
【請求項３】
請求項１または２記載の方法を利用した車両制御方法であって、
（ｄ）前記車両の停止時における前記エンジンの運転を抑制するアイドリングストップ制御を行う工程と、
（ｅ）前記エンジンの運転時における前記発電機による発電を、前記車両の減速時に限って実施する充電制御を行う工程と、
（ｆ）前記バッテリの蓄電状態（ＳＯＣ）を検出する工程と、
（ｇ）前記工程（ｂ）により推定された前記送風器の前記将来消費電力の増減に応じて、前記バッテリの使用可能な範囲を、前記アイドリングストップ制御が実行可能なアイドリングストップ用範囲と、前記充電制御が実行可能な充電制御用範囲と、に分ける工程と、
（ｈ）前記車両の走行中に、前記工程（ｆ）によって検出された蓄電状態に基づく前記バッテリの残存容量が、前記アイドリングストップ用範囲内となる状態が継続することを回避するように、前記発電機の発電量を制御する工程と、
を備える、車両制御方法。
【請求項４】
請求項１または２記載の前記送風器の消費電力を推定する方法であって、
前記工程（ａ）において、前記エンジンのスロットル開度と、前記エンジンの回転数と、の組合せを用いて前記エンジンの発熱状態を推定する、方法。
【請求項５】
請求項２または４記載の前記送風器の消費電力を推定する方法であって、
前記工程（ｂ）において、
前記工程（ａ）により推定された前記エンジンの発熱状態が所定値よりも高く、かつ、前記工程（ｃ）により推定された前記車両の移動速度が所定値よりも大きい場合は、前記送風器の前記将来消費電力は現状維持傾向であると推定し、
前記工程（ａ）により推定された前記エンジンの発熱状態が所定値よりも高く、かつ、前記工程（ｃ）により推定された前記車両の移動速度が所定値よりも小さい場合は、前記送風器の前記将来消費電力は増大傾向であると推定する、方法。
【請求項６】
請求項５記載の方法を利用した請求項３記載の車両制御方法であって、
前記工程（ｇ）は、
前記工程（ｂ）により推定された前記送風器の前記将来消費電力の増減が現状維持傾向である場合には、
（ｇ−１）前記車両が停車する原因となる前記車両の走行環境を推定する工程と、
（ｇ−２）前記車両に搭載された補機であって、前記バッテリに蓄電された電力を消費して動作する補機の消費電力量を推定する工程と、
（ｇ−３）前記車両の前記走行環境と、前記補機の前記消費電力量とに応じて、前記バッテリの使用可能な範囲を、前記アイドリングストップ用範囲と、前記充電制御用範囲とに分ける工程と、
を工程を含み、
前記工程（ｂ）により推定された前記送風器の前記将来消費電力の増減が増大傾向である場合には、
前記工程（ｇ−１）と、前記工程（ｇ−２）と、
（ｇ−４）前記補機の前記消費電力量を前記送風器の前記将来消費電力の増減に応じて補正する工程と、
（ｇ−５）前記車両の前記走行環境と、補正後の前記補機の前記消費電力量とに応じて、前記バッテリの使用可能な範囲を、前記アイドリングストップ用範囲と、前記充電制御用範囲とに分ける工程と、
を工程を含む、車両制御方法。
【請求項７】
エンジンと、前記エンジンによって駆動される発電機によって充電可能なバッテリと、ラジエータと、前記バッテリに蓄電された電力を消費して前記ラジエータに送風する送風器と、を有する車両に搭載される車両制御装置であって、
前記エンジンのスロットル開度を用いて前記エンジンの発熱状態を推定し、推定された前記発熱状態を用いて、前記送風器において今後消費される将来消費電力の増減を推定する自車両状態補正部を備える、車両制御装置。
【請求項８】
請求項７記載の車両制御装置であって、
前記自車両状態補正部は、さらに、前記車両の移動速度を推定し、推定された前記発熱状態と、推定された前記移動速度と、を用いて、前記送風器において今後消費される将来消費電力の増減を推定する、車両制御装置。
【請求項９】
請求項７または８記載の車両制御装置であって、さらに、
前記車両の停止時における前記エンジンの運転を抑制するアイドリングストップ制御を行うアイドリングストップ制御部と、
前記バッテリの蓄電状態（ＳＯＣ）を検出するバッテリＳＯＣ算出部と、
前記自車両状態補正部により推定された前記送風器の前記将来消費電力の増減に応じて、前記バッテリの使用可能な範囲を、前記アイドリングストップ制御が実行可能なアイドリングストップ用範囲と、前記エンジンの運転時における前記発電機による発電を前記車両の減速時に限って実施する充電制御が実行可能な充電制御用範囲と、に分ける目標ＳＯＣ推定部と、
前記車両の走行中に、前記バッテリＳＯＣ算出部によって検出された蓄電状態に基づく前記バッテリの残存容量が、前記アイドリングストップ用範囲内となる状態が継続することを回避するように、前記発電機の発電量を制御する指示値算出部と、
を備える、車両制御装置。
【国際調査報告】
2013105126.tif 000011
2013105126.tif 000012